(57)【要約】【課題】ロッカーの利用者に対して、ロッカーまでの適切な経路を案内する。【解決手段】荷物の属性は、その荷物をユーザが持った状態で移動するときにそのユーザにかかる肉体的な負担の程度に関係すると考えられる。例えば荷物がスーツケースであれば、一般に重いと考えられるため、その荷物を持って移動するユーザにかかる肉体的な負担の程度は大きいと考えられる。ユーザがロッカーに預ける予定の荷物の属性に応じた経路情報を通信装置４０に送信することで、そのユーザにとって適切な経路をユーザに提示することが可能となる。【選択図】図１
2020140512.tif 000002
【特許請求の範囲】
【請求項１】
ロッカーに収容される荷物の属性を特定する荷物属性特定部と、
荷物を所持したユーザがロッカーに移動するための経路であって、前記荷物属性特定部により特定された属性に応じた経路を特定する経路特定部と、
特定された経路を示す経路情報を前記ユーザの通信装置に送信する送信部と
を備えることを特徴とする情報処理装置。
【請求項２】
前記経路特定部は、
前記荷物属性特定部により特定された荷物の属性に応じたロッカーを選択し、
選択したロッカーに移動するための経路を、前記荷物属性特定部により特定された属性に応じて特定する
ことを特徴とする請求項１に記載の情報処理装置。
【請求項３】
前記荷物の属性は、当該荷物の種類、数、重量又は大きさのうち少なくともいずれか１つを含む
ことを特徴とする請求項１又は２に記載の情報処理装置。
【請求項４】
前記経路特定部は、前記荷物属性特定部により特定された属性として荷物の重量又は大きさが閾値を超える場合、当該荷物の重量又は大きさが当該閾値以下の場合と比べて、ユーザが移動するときの上昇量が少ない経路又は道幅が広い経路を特定する
ことを特徴とする請求項１〜３のいずれか１項に記載の情報処理装置。
【請求項５】
前記経路特定部は、前記荷物属性特定部により特定された属性として荷物の種類が、当該ロッカーが設置されたエリアに不慣れなユーザが所持する荷物の種類である場合、当該ロッカーが設置されたエリアに不慣れでないユーザが所持する荷物の種類である場合と比べて、ユーザが移動するときの移動方向の変更が少ない経路又は道幅が広い経路を特定する
ことを特徴とする請求項１〜４のいずれか１項に記載の情報処理装置。
【請求項６】
前記ユーザの属性を特定するユーザ属性特定部を備え、
前記経路特定部は、
前記荷物属性特定部により特定された荷物の属性、及び前記ユーザ属性特定部により特定されたユーザの属性に応じた経路を特定する
ことを特徴とする請求項１〜５のいずれか１項に記載の情報処理装置。
【請求項７】
前記ロッカーに収容される荷物以外に前記ユーザが所持する所持物の属性を特定する所持物属性特定部を備え、
前記経路特定部は、
前記荷物属性特定部により特定された荷物の属性、及び前記所持物属性特定部により特定された所持物の属性に応じた経路を特定する
ことを特徴とする請求項１〜５のいずれか１項に記載の情報処理装置。
【請求項８】
前記荷物を所持したユーザがロッカーに移動するための経路を含むエリアの属性を特定するエリア属性特定部を備え、
前記経路特定部は、
前記荷物属性特定部により特定された荷物の属性、及び前記エリア属性特定部により特定されたエリアの属性に応じた経路を特定する
ことを特徴とする請求項１〜５のいずれか１項に記載の情報処理装置。
【発明の詳細な説明】
【技術分野】
【０００１】
本発明は、ユーザに経路を案内するための技術に関する。
【背景技術】
【０００２】
ユーザの荷物を一時的に保管するロッカーは、例えば駅や商業施設等の人通りの多いエリアに設置されていることが多い。特許文献１には、ユーザが現在いるフロアに設置されたロッカーの位置と利用状況を案内地図上に表示することが記載されている。
【先行技術文献】
【特許文献】
【０００３】
【特許文献１】特開２０１０−２０７３３号公報
【発明の概要】
【発明が解決しようとする課題】
【０００４】
ところで、ユーザがロッカーを利用するにあたっては、ロッカーに預ける荷物を持った状態で、そのロッカーが設置された場所まで移動しなければならない。このような荷物を持った状態での移動は、ユーザにとって負担が大きい場合がある。
【０００５】
そこで、本発明は、ロッカーの利用者に対して、ロッカーまでの適切な経路を案内することを目的とする。
【課題を解決するための手段】
【０００６】
上記課題を解決するため、本発明は、ロッカーに収容される荷物の属性を特定する荷物属性特定部と、荷物を所持したユーザがロッカーに移動するための経路であって、前記荷物属性特定部により特定された属性に応じた経路を特定する経路特定部と、特定された経路を示す経路情報を前記ユーザの通信装置に送信する送信部とを備えることを特徴とする情報処理装置を提供する。
【０００７】
前記経路特定部は、前記荷物属性特定部により特定された荷物の属性に応じたロッカーを選択し、選択したロッカーに移動するための経路を、前記荷物属性特定部により特定された属性に応じて特定するようにしてもよい。
【０００８】
前記荷物の属性は、当該荷物の種類、重量又は大きさのうち少なくともいずれか１つを含むようにしてもよい。
【０００９】
前記経路特定部は、前記荷物属性特定部により特定された属性として荷物の重量又は大きさが閾値を超える場合、当該荷物の重量又は大きさが当該閾値以下の場合と比べて、ユーザが移動するときの上昇量が少ない経路又は道幅が広い経路を特定するようにしてもよい。
【００１０】
前記経路特定部は、前記荷物属性特定部により特定された属性として荷物の種類が、当該ロッカーが設置されたエリアに不慣れなユーザが所持する荷物の種類である場合、当該ロッカーが設置されたエリアに不慣れでないユーザが所持する荷物の種類である場合と比べて、ユーザが移動するときの移動方向の変更が少ない経路又は道幅が広い経路を特定するようにしてもよい。
【００１１】
前記ユーザの属性を特定するユーザ属性特定部を備え、前記経路特定部は、前記荷物属性特定部により特定された荷物の属性、及び前記ユーザ属性特定部により特定されたユーザの属性に応じた経路を特定するようにしてもよい。
【００１２】
前記ロッカーに収容される荷物以外に前記ユーザが所持する所持物の属性を特定する所持物属性特定部を備え、前記経路特定部は、前記荷物属性特定部により特定された荷物の属性、及び前記所持物属性特定部により特定された所持物の属性に応じた経路を特定するようにしてもよい。
【００１３】
前記荷物を所持したユーザがロッカーに移動するための経路を含むエリアの属性を特定するエリア属性特定部を備え、前記経路特定部は、前記荷物属性特定部により特定された荷物の属性、及び前記エリア属性特定部により特定されたエリアの属性に応じた経路を特定するようにしてもよい。
【００１４】
本発明によれば、ロッカーの利用者に対して、ロッカーまでの適切な経路を案内することができる。
【図面の簡単な説明】
【００１５】
【図１】本発明の一実施形態に係るロッカー管理システムの構成を例示する図である。
【図２】サーバ装置のハードウェア構成の一例を示すブロック図である。
【図３】通信装置のハードウェア構成の一例を示すブロック図である。
【図４】ロッカー管理システムの機能構成の一例を示すブロック図である。
【図５】サーバ装置による利用状況の記録動作を例示するフローチャートである。
【図６】サーバ装置による経路の特定動作及び案内動作を例示するフローチャートである。
【図７】サーバ装置が記録する情報を例示する図である。
【図８】サーバ装置が記録する情報を例示する図である。
【発明を実施するための形態】
【００１６】
［構成］
図１は、本実施形態のロッカー管理システム１の一例を示す図である。ロッカー管理システム１は、開閉可能な扉がそれぞれ設けられた複数のロッカーを含むロッカー設備１０と、ロッカー設備１０を含むエリアに設けられた第１無線受信装置２０と、各ロッカーの扉を開錠又は施錠する鍵３０と、ユーザが携帯する通信装置４０と、各ロッカーの利用状況を管理するサーバ装置５０と、これらのロッカー設備１０、通信装置４０及びサーバ装置５０を通信可能に接続するネットワーク２とを備える。通信装置４０は、スマートホンやタブレット或いはウェアラブル端末等の、ユーザが携帯可能な通信装置である。ネットワーク２は、例えばＬＴＥ（Long Term Evolution）等の通信規格の無線通信網であり、図示せぬ無線基地局やその上位装置を含んでいる。図１には、ロッカー設備１０、鍵３０、通信装置４０及びサーバ装置５０をそれぞれ１つのみ示しているが、これらは複数であってもよい。
【００１７】
各ロッカーの鍵３０には、近距離で低消費電力の無線通信に適したＢＬＥ（Bluetooth（登録商標）Low Energy）に従って例えば数ｍから数十ｍの範囲に無線信号を定期的に送信する無線送信装置３１が設けられている。ロッカー設備１０を含むエリアであって、各鍵３０の無線送信装置３１から送信される無線信号を全て受信可能な位置（例えばロッカー設備１０の上部、側部又は下部）には、第１無線受信装置２０が設けられている。各ロッカーがユーザによって利用されていないときには、そのロッカーの鍵穴にそのロッカーに対応する鍵が挿入された状態になっている。このため、第１無線受信装置２０は、各ロッカーがユーザによって利用されていない期間にわたって、そのロッカーの鍵穴に挿入されている各鍵３０の無線送信装置３１から送信される無線信号を定期的に受信することになる。
【００１８】
ユーザが携帯する通信装置４０には、無線送信装置３１から送信される無線信号を受信可能な第２無線受信装置４００７が設けられている。ユーザがロッカーを利用してそのロッカーの鍵３０を携帯している期間においては、第２無線受信装置４００７が、その鍵３０の無線送信装置３１から送信される無線信号を定期的に受信することになる。
【００１９】
ロッカー管理システム１において、サーバ装置５０は、第１無線受信装置２０又は第２無線受信装置４００７が無線送信装置３１から送信される無線信号を受信しているか否かを示す情報を取得する。第１無線受信装置２０が無線送信装置３１から送信される無線信号を受信していると判断される場合には、ロッカーの鍵穴にそのロッカーに対応する鍵３０が挿入された状態になっていることになる。よって、サーバ装置５０は、その無線送信装置３１を備える鍵３０に対応するロッカーが利用されていない状態を記録する。
【００２０】
一方、第１無線受信装置２０が無線送信装置３１から送信される無線信号を受信しておらず且つ第２無線受信装置４００７が無線送信装置３１から送信される無線信号を受信していると判断される場合には、ロッカーの鍵穴にそのロッカーに対応する鍵が挿入されておらず且つユーザがそのロッカーの鍵３０を携帯していることになる。よって、サーバ装置５０は、その無線送信装置３１を備える鍵３０に対応するロッカーが利用されている状態を記録する。
【００２１】
ユーザは通信装置４０を操作して、自らの荷物を保管することが可能な空きロッカーまでの経路を検索することができる。このとき、ユーザは、通信装置４の撮像機能によってその荷物を撮像する。この撮像データは通信装置４０からサーバ装置５０に送信される。サーバ装置５０は、この撮像データに基づいて荷物の属性を特定し、特定した荷物の属性に応じた経路に関する経路情報を通信装置４０に送信する。
【００２２】
荷物の属性は、その荷物をユーザが持った状態で移動するときにそのユーザにかかる肉体的又は精神的な負担の程度に関係すると考えられる。例えば荷物がスーツケースであれば、一般に重くてその取り扱いが煩わしいと考えられるため、その荷物を持って移動するユーザにかかる負担の程度は大きいと考えられる。また、荷物が複数であれば、そのような複数の一般に重くてその取り扱いが煩わしいと考えられるため、その荷物を持って移動するユーザにかかる負担の程度は大きいと考えられる。また、荷物が大きい物体であれば、一般に重くてその取り扱いが煩わしいと考えられるため、その荷物を持って移動するユーザにかかる肉体的な負担の程度は大きいと考えられる。また、荷物が楽器や食器等であればその荷物は衝撃や振動を避けるべきであるから、そのような複数の荷物を持った状態では歩きづらいと考えられ、その荷物を持って移動するユーザにかかる負担の程度は大きいと考えられる。よって、ユーザがロッカーに預ける荷物の属性に応じた経路情報を通信装置４０に送信することで、そのユーザにとって負担の小さい、適切な経路をユーザに提示することが可能となる。
【００２３】
図２は、サーバ装置５０のハードウェア構成を示す図である。サーバ装置５０は、物理的には、プロセッサ５００１、メモリ５００２、ストレージ５００３、通信装置５００４、入力装置５００５、出力装置５００６及びこれらを接続するバスなどを含むコンピュータ装置として構成されている。なお、以下の説明では、「装置」という文言は、回路、デバイス、ユニットなどに読み替えることができる。サーバ装置５０のハードウェア構成は、図に示した各装置を１つ又は複数含むように構成されてもよいし、一部の装置を含まずに構成されてもよい。
【００２４】
サーバ装置５０における各機能は、プロセッサ５００１、メモリ５００２などのハードウェア上に所定のソフトウェア（プログラム）を読み込ませることによって、プロセッサ５００１が演算を行い、通信装置５００４による通信を制御したり、メモリ５００２及びストレージ５００３におけるデータの読み出し及び書き込みの少なくとも一方を制御したりすることによって実現される。
【００２５】
プロセッサ５００１は、例えば、オペレーティングシステムを動作させてコンピュータ全体を制御する。プロセッサ５００１は、周辺装置とのインターフェース、制御装置、演算装置、レジスタなどを含む中央処理装置（ＣＰＵ：Central Processing Unit）によって構成されてもよい。また、例えばベースバンド信号処理部や呼処理部などがプロセッサ５００１によって実現されてもよい。
【００２６】
プロセッサ５００１は、プログラム（プログラムコード）、ソフトウェアモジュール、データなどを、ストレージ５００３及び通信装置５００４の少なくとも一方からメモリ５００２に読み出し、これらに従って各種の処理を実行する。プログラムとしては、後述する動作の少なくとも一部をコンピュータに実行させるプログラムが用いられる。サーバ装置５０の機能ブロックは、メモリ５００２に格納され、プロセッサ５００１において動作する制御プログラムによって実現されてもよい。各種の処理は、１つのプロセッサ５００１によって実行されてもよいが、２以上のプロセッサ５００１により同時又は逐次に実行されてもよい。プロセッサ５００１は、１以上のチップによって実装されてもよい。なお、プログラムは、電気通信回線を介してネットワーク２からサーバ装置５０に送信されてもよい。
【００２７】
メモリ５００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つによって構成されてもよい。メモリ５００２は、レジスタ、キャッシュ、メインメモリ（主記憶装置）などと呼ばれてもよい。メモリ５００２は、本実施形態に係る方法を実施するために実行可能なプログラム（プログラムコード）、ソフトウェアモジュールなどを保存することができる。
【００２８】
ストレージ５００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ５００３は、補助記憶装置と呼ばれてもよい。
【００２９】
通信装置５００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。
【００３０】
入力装置５００５は、外部からの入力を受け付ける入力デバイス（例えば、キーボード、マウス、スイッチなど）である。出力装置５００６は、外部への出力を実施する出力デバイス（例えば、ディスプレイなど）である。なお、入力装置５００５及び出力装置５００６は、一体となった構成（例えば、タッチパネル）であってもよい。
【００３１】
プロセッサ５００１、メモリ５００２などの各装置は、情報を通信するためのバスによって接続される。バスは、単一のバスを用いて構成されてもよいし、装置間ごとに異なるバスを用いて構成されてもよい。
【００３２】
サーバ装置５０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ５００１は、これらのハードウェアの少なくとも１つを用いて実装されてもよい。
【００３３】
図３は、通信装置４０のハードウェア構成を示す図である。通信装置４０は、物理的には、プロセッサ４００１、メモリ４００２、ストレージ４００３、通信装置４００４、入力装置４００５、出力装置４００６、第２無線受信装置４００７、撮像装置４００８、測位装置４００９及びこれらを接続するバスなどを含むコンピュータ装置として構成されている。プロセッサ４００１、メモリ４００２、ストレージ４００３、入力装置４００５、出力装置４００６は、サーバ装置５０が備えるプロセッサ５００１、メモリ５００２、ストレージ５００３、入力装置５００５、出力装置５００６と同様の装置群である。出力装置４００６は、表示デバイスであるディスプレイを少なくとも備えている。
【００３４】
第２無線受信装置４００７は、前述したとおりの装置である。撮像装置４００８は、荷物を撮像する装置である。測位装置４００９は、例えばＧＰＳ（（Global Positioning System））等によって通信装置４０の位置を測定する装置である。なお、通信装置４００４は無線通信に適した構成、例えば周波数分割複信（ＦＤＤ：Frequency Division Duplex）及び時分割複信（ＴＤＤ：Time Division Duplex）の少なくとも一方を実現するために、高周波スイッチ、デュプレクサ、フィルタ、周波数シンセサイザなどの構成を含んでいてもよい。例えば、送受信アンテナ、アンプ部、送受信部、伝送路インターフェースなどは、通信装置４００４によって実現されてもよい。送受信部は、送信部と受信部とで、物理的に、または論理的に分離された実装がなされてもよい。
【００３５】
図４は、ロッカー管理システム１の機能構成の一例を示すブロック図である。鍵３０に設けられた無線送信装置３１は、自身に割り当てられた識別情報である鍵ＩＤを含む無線信号を周囲の所定範囲に定期的に送信する。この鍵ＩＤは、各々のロッカーに対応しており、無線送信装置３１内の記憶媒体に記憶されている。
【００３６】
ロッカー設備１０の第１無線受信装置２０は、無線送信装置３１から送信される無線信号を受信すると、その受信期間中において定期的に、受信した鍵ＩＤを含む情報をネットワーク２経由でサーバ装置５０に送信する。
【００３７】
通信装置４０において、第２無線受信装置４００７が無線送信装置３１から送信される無線信号を受信すると、通信装置４００４は、その受信期間中において定期的に、上記鍵ＩＤ及び通信装置４０を識別する装置ＩＤを含む情報をネットワーク２経由でサーバ装置５０に送信する。この装置ＩＤは、通信装置４０のストレージ４００３に記憶されている。
【００３８】
サーバ装置５０において、取得部５１は、第１無線受信装置２０又は第２無線受信装置４００７が、無線送信装置３１から送信される無線信号を受信しているか否かを示す情報を取得する。より具体的には、取得部５１は、第１無線受信装置２０から鍵ＩＤを受信すると、第１無線受信装置２０が無線送信装置３１から送信される無線信号を受信していることを意味する情報を取得することになる。また、取得部５１は、第２無線受信装置４００７から鍵ＩＤ及び装置ＩＤを受信すると、その装置ＩＤの通信装置４０の第２無線受信装置４００７が無線送信装置３１から送信される無線信号を受信していることを意味する情報を取得することになる。また、取得部５１は、通信装置４０から、撮像装置４００８によって撮像された画像を示す撮像データを取得する。この撮像データは静止画であっても動画であってもよい。
【００３９】
サーバ装置５０において、記録部５２は、取得部５１によって取得された情報に基づいて、第１無線受信装置２０が無線送信装置３１から送信される無線信号を受信していると判断される場合には、その無線信号に含まれる鍵ＩＤに対応するロッカーが利用されていない状態を記録する。また、記録部５２は、第１無線受信装置２０が無線送信装置３１から送信される無線信号を受信しておらず且つ第２無線受信装置４００７が無線送信装置３１から送信される無線信号を受信している場合には、その無線信号に含まれる鍵ＩＤに対応するロッカーがその無線信号に含まれる装置ＩＤに対応する通信装置４０のユーザによって利用されている状態を記録する。
【００４０】
サーバ装置５０において、荷物属性特定部５３は、取得部５１によって取得された撮像データに基づいて、ロッカーに収容される荷物の属性を特定する。荷物の属性は、荷物の種類、数、重量又は大きさのうち少なくともいずれか１つを含む。荷物の種類とは、例えばスーツケースであるとか、楽器用のケースである等のように、ユーザが荷物を持った状態で移動するときの負担の程度を推定し得る程度の、荷物の分類のことである。荷物属性特定部５３は、撮像データから荷物の属性を特定するためのアルゴリズムを記憶しており、このアルゴリズムに従って、荷物の属性を特定する。このアルゴリズムは例えば画像の特徴点抽出や、荷物に関する膨大なデータを含むデータベースとのパターンマッチング等の、既知の画像認識手法に基づくものである。
【００４１】
サーバ装置５０において、経路特定部５４は、荷物を所持したユーザがロッカーに移動するための経路であって、荷物属性特定部５３により特定された属性に応じた経路を特定する。より具体的には、経路特定部５４は、ロッカー設備１０の位置情報と、ロッカー設備10を含む広範なエリアをカバーする地図情報とを記憶しており、これらの記憶内容と、通信装置４０の位置情報及び荷物の属性に基づいて経路を特定する。ここでいう経路の特定には、ユーザが利用するロッカーの位置（つまりユーザにとっての目的地）の選択と、そのロッカーに移動するまでの経路そのもの（つまりユーザの現在地から目的地に至る経路）の特定とを含んでいる。つまり、経路特定部５４は、荷物属性特定部５３により特定された荷物の属性に応じたロッカーを選択し、選択したロッカーに移動するための経路を、荷物属性特定部５３により特定された属性に応じて特定する。
【００４２】
荷物属性特定部５３により特定された荷物の属性に応じたロッカーとは、その荷物を収容することが可能なサイズのロッカーである。経路特定部５４は、荷物の大きさとロッカーのサイズとを比較して、その荷物を収容することが可能なサイズのロッカーを選択する。
【００４３】
選択したロッカーに移動するための経路は、例えば次のようにして特定される。経路特定部５４は、荷物属性特定部５３により特定された属性として荷物の重量又は大きさが閾値を超える場合、当該荷物の重量又は大きさが当該閾値以下の場合と比べて、ユーザが移動するときの上昇量が少ない経路又は道幅が広い経路を特定する。ここでいう上昇量とは、階段や坂道においてユーザが移動するときの鉛直上方向の移動量（標高差）である。重い荷物を持つユーザが移動するときは、このような上昇量は少ないほうが望ましい。同様に、大きな荷物を持つユーザが移動するときは、そのユーザにとって通りやすい、道幅が広い道であるほうが望ましい。上昇量が少ない経路とは、複数の経路のうち最も上昇量が少ない経路であってもよいし、上昇量が閾値以下の経路であってもよい。この閾値は荷物の重量又は大きさに応じて変動する閾値であってもよいし（つまり荷物の重量又は大きさが大きいほど閾値が小さい）、変動しない所定値であってもよい。同様に、道幅が広い経路とは、複数の経路のうち最も道幅が広い経路であってもよいし、道幅が閾値を超える経路であってもよい。この閾値は荷物の重量又は大きさに応じて変動する閾値であってもよいし（つまり荷物の重量又は大きさが大きいほど閾値が大きい）、変動しない所定値であってもよい。
【００４４】
また、経路特定部５４は、荷物属性特定部５３により特定された属性として荷物の種類が、当該ロッカーが設置されたエリアに不慣れなユーザが所持する荷物の種類である場合、当該ロッカーが設置されたエリアに不慣れでないユーザが所持する荷物の種類である場合と比べて、ユーザが移動するときの移動方向の変更が少ない経路又は道幅が広い経路を特定する。ロッカーが設置されたエリアに不慣れなユーザが所持する荷物の種類とは、例えばスーツケースや旅行鞄等の旅行者が所持することが多いと考えられる荷物の種類のことである。ユーザが移動するときの移動方向の変更とは、要するに、経路上の曲がり角のことであり、ロッカーが設置されたエリアに不慣れなユーザが移動するときは、このような曲がり角は少ないほうが望ましい。同様に、ロッカーが設置されたエリアに不慣れなユーザが移動するときは、道幅が広い道であるほうが望ましい。移動方向の変更が少ない経路とは、複数の経路のうち最もその変更回数が少ない経路であってもよいし、その変更回数が閾値以下の経路であってもよい。この閾値は荷物の種類に応じて変動する閾値であってもよいし、変動しない所定値であってもよい。同様に、道幅が広い経路とは、複数の経路のうち最も道幅が広い経路であってもよいし、道幅が閾値を超える経路であってもよい。この閾値は荷物の種類に応じて変動する閾値であってもよいし、変動しない所定値であってもよい。
【００４５】
また、経路特定部５４は、荷物属性特定部５３により特定された属性として荷物の種類が、衝撃や振動を避けるべき荷物の種類である場合、そうでない荷物の種類である場合と比べて、ユーザが移動するときの上昇量又は下降量が少ない経路を特定する。ここでいう上昇量とは、前述したとおりである。また、下降量とは、階段や坂道においてユーザが移動するときの鉛直下方向の移動量（標高差）である。上昇量が少ない経路とは、複数の経路のうち最も上昇量が少ない経路であってもよいし、上昇量が閾値以下の経路であってもよい。この閾値は荷物の種類に応じて変動する閾値であってもよいし、変動しない所定値であってもよい。同様に、下降量が少ない経路とは、複数の経路のうち最も下降量が少ない経路であってもよいし、下降量が閾値以下の経路であってもよい。この閾値は荷物の種類に応じて変動する閾値であってもよいし、変動しない所定値であってもよい。
【００４６】
サーバ装置５０において、送信部５５は、経路特定部５４により特定された経路に関する経路情報を通信装置４０に送信する。この経路情報は、ユーザが現在地からロッカーまで移動するための経路をそのユーザに案内する情報を含み、例えば地図上で経路を提示するための情報を含む。この経路情報は、通信装置４０において表示や音声出力等の方法で出力される。ユーザはこの経路情報を参考にして、荷物を持った状態でロッカーの位置まで移動する。
【００４７】
［動作］
次に図５〜８を参照して、本実施形態の動作を説明する。
［利用状況の記録動作］
図５において、サーバ装置５０の取得部５１は、第１無線受信装置２０又は第２無線受信装置４００７から、前述したような無線送信装置３１から送信される無線信号を受信しているか否かを示す情報をネットワーク２経由で取得する（ステップＳ１１）。
【００４８】
記録部５２は、第１無線受信装置２０及び第２無線受信装置４００７から取得した情報に基づいてロッカーの利用状況を判定し、その判定結果に応じた情報を記録する（ステップＳ１２）。つまり、記録部５２は、取得部５１によって取得された情報に基づいて、第１無線受信装置２０が無線送信装置３１から送信される無線信号を受信していると判断される場合には、ロッカーが利用されていない状態を記録する。また、記録部５２は、第１無線受信装置２０が無線送信装置３１から送信される無線信号を受信しておらず且つ第２無線受信装置４００７が無線送信装置３１から送信される無線信号を受信している場合には、ロッカーが利用されている状態を記録する。
【００４９】
より具体的には、記録部５２は、図７に例示するように、「ロッカーＩＤ」、「鍵ＩＤ」、「利用状況」、「荷物属性」及び「ロッカーサイズ及び位置情報」を対応付けて記録する。「利用状況」のレコードにおいて、第１無線受信装置２０が無線送信装置３１から送信される無線信号を受信しておらず且つ第２無線受信装置４００７が無線送信装置３１から送信される無線信号を受信している場合には、「利用有り」が記録され、そうでない場合には、「利用無し」が記録される。図７の例では、ロッカーＩＤ「Ｌ００１」及びそのロッカーの鍵の鍵ＩＤ「Ｋ００１」において、第１無線受信装置２０が無線送信装置３１から送信される無線信号を受信していると判断されており、ロッカーの利用状況として「利用無し」が記録されている。ロッカーＩＤ「Ｌ００２」及びそのロッカーの鍵の鍵ＩＤ「Ｋ００２」においても同様である。
【００５０】
一方、ロッカーＩＤ「Ｌ００３」及びそのロッカーの鍵の鍵ＩＤ「Ｋ００３」において、第１無線受信装置２０が無線送信装置３１から送信される無線信号を受信しておらず且つ第２無線受信装置４００７が無線送信装置３１から送信される無線信号を受信していると判断されており、ロッカーの利用状況として「利用有り」が記録されている。「利用状況」のレコードにおいて「利用有り」の場合、取得部５１が通信装置４０から取得した装置ＩＤ（図７では「Ｍ００１」）が記録される。このロッカーに既に収容されている荷物の属性は、「スーツケース」「サイズ大」である。
【００５１】
［経路の特定動作及び案内動作］
ユーザは通信装置４０を操作してロッカーまでの経路を検索するとき、通信装置４の撮像装置４００８によってその荷物を撮像する。この撮像データは通信装置４０からサーバ装置５０に送信される。このとき、通信装置４０は、測位装置４００９によって測定された位置を示す位置情報を、撮像データ及び通信装置４０の装置ＩＤとともにサーバ装置５０に送信する。図６において、サーバ装置５０の取得部５１は、通信装置４０から、撮像データ、装置ＩＤ及び位置情報をネットワーク２経由で取得する（ステップＳ２１）。
【００５２】
取得部５１が撮像装置１１から撮像データを取得すると、荷物属性特定部５３は、前述したアルゴリズムに従い、その撮像データから荷物の属性を特定する（ステップＳ２２）。
【００５３】
次に、経路特定部５４は、荷物属性特定部５３により特定された属性に応じた経路を特定する（ステップＳ２３）。具体的には、経路特定部５４は、撮像データから認識した大きさの荷物が入るサイズのロッカーであって、且つ、通信装置４０の位置に最も近い順から所定数のロッカーを選択する。次に、経路特定部５４は、地図上において通信装置４０の位置から選択された各ロッカーに移動するまでの経路の候補をそれぞれ求め、さらに、その経路群から荷物属性特定部５３により特定された属性に最も適した経路を特定する。経路特定部５４は、通信装置４０の位置に最も近いロッカーを１つ選択した場合は、荷物の属性に最も適合する経路を特定して、その経路情報を生成する。また、経路特定部５４は、通信装置４０の位置に最も近い順から所定数のロッカーを選択した場合は、通信装置４０と各ロッカーの近さと、荷物の属性に対する各ロッカーの適合度とを考慮して、１のロッカーとそのロッカーへの１の経路とを特定して、その経路情報を生成する。
【００５４】
送信部５５は、生成された経路情報を通信装置４０に送信する（ステップＳ２４）。このとき、記録部５２は、この経路情報の送信に応じた記録を行う。図８の例において、例えばロッカーＩＤ「Ｌ００１」及びそのロッカーの鍵の鍵ＩＤ「Ｋ００１」のロッカーまでの経路が特定されたとする。この場合、ロッカーＩＤ「Ｌ００１」及びそのロッカーの鍵の鍵ＩＤ「Ｋ００１」のロッカーの利用状況として「利用予定」が記録され、その利用を予定している通信装置４０の装置ＩＤ（「Ｍ００２」とする）が記録される。また、そのロッカーへの経路の特定に用いられた荷物の属性（「旅行鞄、サイズ中」とする）も併せて記録される。このような利用予定のロッカーは、他のユーザが経路探索するときには、そのユーザに案内するロッカーの候補として考慮されないようになっている。
【００５５】
こののち、ユーザがロッカーＩＤ「Ｌ００１」のロッカーへ移動すると、第１無線受信装置２０が無線送信装置３１から送信される無線信号を受信しておらず且つ、装置ＩＤ「Ｍ００２」の通信装置４０の第２無線受信装置４００７が無線送信装置３１から送信される無線信号を受信している状態となる。これに応じて、サーバ装置５０の記録部５２は、取得部５１によって取得された情報に基づいて、ロッカーＩＤ「Ｌ００１」及びそのロッカーの鍵の鍵ＩＤ「Ｋ００１」において、ロッカーの利用状況として「利用有り」を装置ＩＤ「Ｍ００２」とともに記録する。
【００５６】
以上の実施形態によれば、ロッカーを利用するユーザに対して適切な経路を案内することが可能となる。また、鍵３０から送信される無線信号を受信する装置として、ロッカー付近に設けられた第１無線受信装置２０に加え、ユーザが携帯する通信装置４０の第２無線受信装置４００７をも用いるので、ロッカーの利用状況の判断がより確実になる。
【００５７】
［変形例］
本発明は、上述した実施形態に限定されない。上述した実施形態を以下のように変形してもよい。また、以下の２つ以上の変形例を組み合わせて実施してもよい。
【００５８】
［変形例１］
上記実施形態において、ユーザが携帯する通信装置４０が撮像装置４００８を備えていたが、撮像装置を備える装置はこの例に限らない。例えばユーザが通信装置４０は別にデジタルカメラ等の撮像装置を携帯しており、その撮像装置で撮像した撮像データを通信装置４０経由でサーバ装置５０に送信してもよい。
また、荷物属性特定部５３は、撮像データから荷物の属性を特定していたが、荷物の属性を特定する方法はこれに限らない。例えば、ユーザが通信装置４０を操作して荷物の属性を入力し、通信装置４０は、その属性を通信装置４０の位置情報及び装置ＩＤとともにネットワーク２経由でサーバ装置５０に送信するようにしてもよい。
【００５９】
［変形例２］
経路特定部５４は、荷物を持っているユーザのユーザ属性（年齢、性別、体格、体力、妊婦であるか否か、子供を連れているか否か等）及び荷物属性特定部５３によって特定された属性の組み合わせに応じた経路を特定してもよい。つまり、サーバ装置５０は、ユーザの属性を特定するユーザ属性特定部を備え、経路特定部５４は、荷物属性特定部５３により特定された荷物の属性、及びユーザ属性特定部により特定されたユーザの属性に応じた経路を特定する。ユーザ属性は、サーバ装置５０においてユーザの携帯する通信装置４０の装置ＩＤに対応付けて予め記憶されていてもよい。また、ユーザが通信装置４０を操作してユーザ属性を入力し、通信装置４０は、そのユーザ属性を通信装置４０の装置ＩＤとともにネットワーク２経由でサーバ装置５０に送信するようにしてもよい。例えば、経路特定部５４は、ユーザ属性特定部により特定されたユーザ属性が高齢、女性、体格が小さい、体力が乏しい、妊婦である、又は、子供を連れている、のいずれか１に該当する場合は、そうではない場合に比べて、ユーザが移動するときの上昇量が少ない経路を特定する。
【００６０】
［変形例３］
経路特定部５４は、ロッカーに預ける荷物以外の所持物の属性（例えば所持物がベビーカーである等）及び荷物属性特定部５３によって特定された属性の組み合わせに応じた経路を特定してもよい。つまり、サーバ装置５０は、ロッカーに収容される荷物以外にユーザが所持する所持物の属性を特定する所持物属性特定部を備え、経路特定部５４は、荷物属性特定部５３により特定された荷物の属性、及び所持物特定部により特定された所持物の属性に応じた経路を特定する。例えばロッカーに預ける荷物以外の所持物の大きさ又は重量が閾値以上の場合、経路特定部５４は、ユーザが移動するときの上昇量が少ない経路を特定する。また特に、ロッカーに預ける荷物以外の所持物がベビーカーという所定の種類である場合、経路特定部５４は、ユーザが移動するときの上昇量及び下降量が少ない経路を特定する。所持物の属性は、実施形態における荷物の属性と同様に、その所持物を撮像した撮像データからその所持物の属性を特定してもよいし、例えば、ユーザが通信装置４０を操作して所持物の属性を入力し、通信装置４０は、その属性を通信装置４０の位置情報及び装置ＩＤとともにネットワーク２経由でサーバ装置５０に送信するようにしてもよい。
【００６１】
［変形例４］
経路特定部５４は、経路を含むエリアの属性（経路における天候、経路を通過可能な時間等）に応じた経路を特定してもよい。つまり、サーバ装置５０は荷物を所持したユーザがロッカーに移動するための経路を含むエリアの属性を特定するエリア属性特定部を備え、経路特定部５４は、荷物属性特定部５３により特定された荷物の属性、及びエリア属性特定部により特定されたエリアの属性に応じた経路を特定する。例えば、天候が悪いときにロッカーを利用するユーザに対しては、屋内を通る経路を特定して案内する例が考えられる。また、経路を含む施設の営業時間の制約等により、営業時間外となるエリアを避けた経路を特定して案内する例が考えられる。また、深夜の時間帯にロッカーを利用するユーザに対しては、人通りが多い経路を特定して案内する例が考えられる。各エリアの属性は、例えばサーバ装置５０においてそのエリアの位置情報に対応付けて予め記憶されている。
【００６２】
［変形例５］
これからロッカーを利用したいと考えるユーザからの要求に応じて、記録している内容に応じた情報（例えばどのロッカーが空いているか）をそのユーザのユーザ端末（図示略）に配信するようにしてもよい。これにより、これからロッカーを利用したいと考えるユーザはどのロッカーを自身が利用可能かをそのロッカーから離れた位置において知ることができる。
【００６３】
［変形例６］
上記実施形態では、鍵３０から送信される無線信号を受信する装置として、ロッカー付近に設けられた第１無線受信装置２０に加え、ユーザが携帯する通信装置４０の第２無線受信装置４００７をも用いていた。これにより、ロッカーの利用状況の判断をより確実なものにしていたが、ロッカーの利用状況を判断する仕組みとして、必ずしもこのような実施形態に係る仕組みを採用する必要はない。
【００６４】
［変形例７］
ユーザがロッカーに預けた荷物を取りに行く場合に、そのロッカーの位置又はユーザがそのロッカーの位置まで移動するのに要する時間をユーザに案内するようにしてもよい。この場合、サーバ装置５０は、ユーザが利用しているロッカーの位置又は当該ユーザが当該ロッカーに移動するのに要する時間を案内する情報を通信装置４０に送信する案内情報送信部を備える。具体的には、通信装置４０がＧＰＳ等によって定期的に自装置の位置を測位してサーバ装置５０に通知する機能を備えており、記録部５２は、各ロッカーの位置をロッカーＩＤと対応付けて記録している。案内情報送信部は、通信装置４０によって通知される通信装置４０の位置をユーザの位置として、この位置とこのユーザが利用しているロッカーの位置との間の距離を算出し、その距離を移動するのに要する時間を特定して、ロッカーの位置とともに通信装置４０に送信する。これにより、ユーザは、ロッカーに預けた荷物を取りに行くときに、そのロッカーの位置又はユーザがそのロッカーの位置まで移動するのに要する時間を知ることができる。
【００６５】
［変形例８］
通信装置４０の第２無線受信装置４００７が無線送信装置３１から無線信号を受信していない状態から当該無線信号を受信する状態に遷移したときは、その通信装置４０を携帯するユーザがロッカーに近づいたときである。このときに、サーバ装置５０は、無線信号を受信した第２無線受信装置４００７を備える通信装置４０に対して広告情報を送信する広告情報送信部を備えるようにしてもよい。この例において、さらに、通信装置４０の第２無線受信装置４００７が無線送信装置３１から無線信号を受信していない状態から当該無線信号を受信する状態に遷移したときであって、且つ、その通信装置４０がサーバ装置５０から経路情報の提供を受けた通信装置４０である場合に（つまり、通信装置４０を携帯するユーザが経路案内に従ってロッカーに近づいた場合に）、サーバ装置５０の広告情報送信部がその通信装置４０に広告情報を送信するようにしてもよい。この広告情報は、例えば、ユーザが近づいたロッカーの位置に応じた情報であり、一例としては、そのロッカーに近い飲食店や商業施設或いはイベントに関する広告情報である。特にユーザがサーバ装置５０による経路案内に従ってロッカーに近づいたときにそのユーザに提供される広告情報は、その経路案内に先立ってサーバ装置５０により特定される荷物の属性、その荷物以外の所持物の属性（変形例３参照）又はユーザ属性（変形例２参照）に応じた広告情報であってもよい。一例としては、荷物がスーツケースである場合には、そのようなスーツケースをロッカーに預けるユーザは旅行者であると想定して、土産店や観光施設に関する広告情報を提供する例が考えられる。所持物の属性に応じた広告情報についても、これと同様である。また、ユーザが２０代女性という属性である場合には、そのような属性のユーザに人気があるショップやイベントに関する広告情報を提供する例が考えられる。
上記と同様に、第２無線受信装置４００７が無線送信装置３１から無線信号を受信している期間にわたって、広告情報送信部が無線信号を受信した第２無線受信装置４００７を備える通信装置４０に対して広告情報を送信するようにしてもよい。
【００６６】
［変形例９］
サーバ装置５０は、ユーザがロッカーに預けている荷物を取りに行くであろう時刻を推定して、その推定時刻にロッカーが空くことを、ロッカーを利用したい他のユーザのユーザ端末に配信するようにしてもよい。具体的には、通信装置４０は、ＧＰＳ等によって定期的に自装置の位置を測位してサーバ装置５０に通知する機能を備えており、記録部５２は、各ロッカーの位置をロッカーＩＤと対応付けて記録している。そして、サーバ装置５０は、これらの位置を用いて、通信装置４０を携帯するユーザが当該ユーザの利用しているロッカーに向かって移動していると判断した場合に、当該ロッカーが利用されている状態から利用されていない状態へと遷移する時刻を推定する推定部を備える。通信装置４０を携帯するユーザが当該ユーザの利用しているロッカーに向かって移動していると判断される場合とは、例えば、通信装置４０の位置がロッカーの位置から所定距離の範囲内であり、且つ通信装置４０の位置の履歴から特定されるユーザの移動方向がロッカーに近づく方向に合致する場合である。推定部は、取得部５１により取得された通信装置４０の位置及びユーザの利用しているロッカーの位置の間の距離を、取得部５１により取得された通信装置４０の位置の履歴に基づくユーザの移動の速さで除算するなどして、上記時刻の推定を行う。記録部５２は、推定部により推定された時刻を記録し、サーバ装置５０はこの時刻を含む情報を配信する。
【００６７】
［そのほかの変形例］
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６８】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７０】
本明細書で使用する「システム」及び「ネットワーク」という用語は、互換的に使用される。
【００７１】
本明細書で説明した情報又はパラメータなどは、絶対値で表されてもよいし、所定の値からの相対値で表されてもよいし、対応する別の情報で表されてもよい。上述したパラメータに使用する名称はいかなる点においても限定的なものではない。さらに、これらのパラメータを使用する数式等は、本明細書で明示的に開示したものと異なる場合もある。
【００７２】
本明細書で使用する「判定（determining）」、「決定（determining）」という用語は、多種多様な動作を包含する場合がある。「判定」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）  した事を「判定」「決定」したとみなす事などを含み得る。また、「判定」、「決定」は、受信（receiving）  （例えば、情報を受信すること）、送信（transmitting）（例えば、情報を送信すること）、入力（input）、出力（output）、アクセス（accessing）（例えば、メモリ中のデータにアクセスすること）した事を「判定」「決定」したとみなす事などを含み得る。また、「判定」、「決定」は、解決（resolving）、選択（selecting）、選定（choosing）、確立（establishing）、比較（comparing）などした事を「判定」「決定」したとみなす事を含み得る。つまり、「判定」「決定」は、何らかの動作を「判定」「決定」したとみなす事を含み得る。
【００７３】
本発明は、サーバ装置５０において行われる処理のステップを備える情報処理方法として提供されてもよい。また、本発明は、サーバ装置５０において実行されるプログラムとして提供されてもよい。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。
【００７４】
ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７６】
本明細書で説明した用語及び／又は本明細書の理解に必要な用語については、同一の又は類似する意味を有する用語と置き換えてもよい。
【００７７】
本明細書で使用する「第１」、「第２」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２要素への参照は、２つの要素のみがそこで採用され得ること、又は何らかの形で第１要素が第２要素に先行しなければならないことを意味しない。
【００７８】
「含む(ｉｎｃｌｕｄｉｎｇ)」、「含んでいる（ｃｏｍｐｒｉｓｉｎｇ）」、及びそれらの変形が、本明細書あるいは特許請求の範囲で使用されている限り、これら用語は、用語「備える」と同様に、包括的であることが意図される。さらに、本明細書あるいは特許請求の範囲において使用されている用語「又は（or）」は、排他的論理和ではないことが意図される。
【００７９】
本開示の全体において、例えば、英語でのa、an、及びtheのように、翻訳により冠詞が追加された場合、これらの冠詞は、文脈から明らかにそうではないことが示されていなければ、複数のものを含むものとする。
【００８０】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び決定態様として実施することができる。したがって、本明細書の記載は、例示説明を目的とするものであり、本発明に対して何ら制限的な意味を有するものではない。
【符号の説明】
【００８１】
１…ロッカー管理システム、２…ネットワーク、１０…ロッカー設備、１１…撮像装置、２０…第１無線受信装置、３０…鍵、３１…無線送信装置、４０…通信装置、４００１…プロセッサ、４００２…メモリ、４００３…ストレージ、４００４…通信装置、４００５…入力装置、４００６…出力装置、４００７…第２無線受信装置、４００８…撮像装置、４００９…測位装置、５０…サーバ装置、５１…取得部、５２…記録部、５３…荷物属性特定部、５４…経路特定部、５５…送信部、５００１…プロセッサ、５００２…メモリ、５００３…ストレージ、５００４…通信装置、５００５…入力装置、５００６…出力装置。
【図１】
2020140512.tif 000003
【図２】
2020140512.tif 000004
【図３】
2020140512.tif 000005
【図４】
2020140512.tif 000006
【図５】
2020140512.tif 000007
【図６】
2020140512.tif 000008
【図７】
2020140512.tif 000009
【図８】
2020140512.tif 000010